(57)【要約】【課題】画面上で項目を移動させているとき、移動の速度に依らずに特定の項目を目立たせることが可能な情報処理装置及びプログラムを提供する。【解決手段】情報処理装置は、少なくとも１つ以上の項目の中から設定値の設定が行われた履歴を示す履歴情報に応じて特定の項目を抽出する抽出手段と、抽出された特定の項目を示す表示対象が画面の一端から該一端と対向する他端に向かう方向に移動して表示されているときに、表示対象を強調して表示するよう制御する表示制御手段と、を備える。【選択図】図１
2020042706.tif 000002
【特許請求の範囲】
【請求項１】
少なくとも１つ以上の項目の中から設定値の設定が行われた履歴を示す履歴情報に応じて特定の項目を抽出する抽出手段と、
抽出された前記特定の項目を示す表示対象が画面の一端から該一端と対向する他端に向かう方向に移動して表示されているときに、前記表示対象を強調して表示するよう制御する表示制御手段と、
を備える情報処理装置。
【請求項２】
前記抽出手段は、前記少なくとも１つ以上の項目の中から複数の前記特定の項目を抽出し、
前記表示制御手段は、前記複数の特定の項目をそれぞれ示す複数の前記表示対象をそれぞれ強調して表示するよう制御する、
請求項１に記載の情報処理装置。
【請求項３】
前記表示制御手段は、前記複数の表示対象を互いに異なる態様で強調して表示するよう制御する、
請求項２に記載の情報処理装置。
【請求項４】
前記履歴情報は、前記少なくとも１つの項目に関連付けて記録された、前記設定値の設定が行われた回数を示す情報を含み、
前記抽出手段は、前記履歴情報に記録された前記回数が予め定められた第１の数以上の場合に前記特定の項目を抽出する、
請求項１から３のいずれか１項に記載の情報処理装置。
【請求項５】
前記履歴情報は、前記少なくとも１つの項目に関連付けて記録された、前記設定値の設定を行った操作者を識別する識別情報をさらに含み、
前記抽出手段は、前記画面上で前記表示対象を移動するよう指示した操作者が前記設定値の設定を行った回数が予め定められた第２の数以上の場合に前記特定の項目を抽出する、
請求項４に記載の情報処理装置。
【請求項６】
前記抽出手段は、複数の前記操作者が前記設定値を設定した回数を合計した数が予め定められた第３の数以上の場合に前記特定の項目を抽出する、
請求項５に記載の情報処理装置。
【請求項７】
前記抽出手段は、複数の前記操作者が前記設定値を設定した回数の合計に応じて複数の前記特定の項目を抽出し、
前記表示制御手段は、前記複数の操作者に応じて、前記複数の項目をそれぞれ示す前記複数の表示対象を互いに異なる態様で強調して表示するよう制御する、
請求項６に記載の情報処理装置。
【請求項８】
前記表示制御手段は、前記項目一覧を前記画面の前記一端から前記他端に向かって移動する動作が停止したときに、前記特定の項目を強調して表示することを停止するよう制御する、
請求項１から７のいずれか１項に記載の情報処理装置。
【請求項９】
コンピュータを、
少なくとも１つ以上の項目の中から設定値の設定が行われた履歴を示す履歴情報に応じて特定の項目を抽出する抽出手段と、
抽出された前記特定の項目を示す表示対象が画面の一端から該一端と対向する他端に向かう方向に移動して表示されているときに、前記表示対象を強調して表示するよう制御する表示制御手段
として機能させるためのプログラム。
【発明の詳細な説明】
【技術分野】
【０００１】
本発明は、情報処理装置及びプログラムに関する。
【背景技術】
【０００２】
近年、表示対象を上下又は左右に移動して閲覧する際に特定の表示対象を見つけやすくする機能を有する情報処理装置が提案されている（例えば、特許文献１参照。）。
【０００３】
特許文献１に記載された情報処理装置は、フリック操作やスクロールボタンの操作等、ユーザが意図的にスクロール速度を調整することが困難な特定の操作によってデータ送信の宛先となるアドレス帳のスクロールを行っている間に、ある期間に所定の回数利用されたことのあるアドレスを他のアドレスと異なる態様で表示するように制御するとともに、ドラッグ操作やスクロールバーの操作等、スクロールの速度と同期している操作によってアドレス帳のスクロールを行っている間には、特定のアドレスを他のアドレスと異なる態様で表示させないよう制御する表示制御手段を備える。
【先行技術文献】
【特許文献】
【０００４】
【特許文献１】特許第５８６５０３９号公報
【発明の概要】
【発明が解決しようとする課題】
【０００５】
自装置の機能を実行する条件を設定する項目の一覧が表示される場合、この一覧を構成する項目の数によっては、表示された一覧の中から特定の項目を発見しづらくなる虞がある。
【０００６】
本発明の課題は、画面上で項目を移動させているとき、移動の速度に依らずに特定の項目を目立たせることが可能な情報処理装置及びプログラムを提供することにある。
【課題を解決するための手段】
【０００７】
［１］少なくとも１つ以上の項目の中から設定値の設定が行われた履歴を示す履歴情報に応じて特定の項目を抽出する抽出手段と、
抽出された前記特定の項目を示す表示対象が画面の一端から該一端と対向する他端に向かう方向に移動して表示されているときに、前記表示対象を強調して表示するよう制御する表示制御手段と、
を備える情報処理装置。
［２］前記抽出手段は、前記少なくとも１つ以上の項目の中から複数の前記特定の項目を抽出し、
前記表示制御手段は、前記複数の特定の項目をそれぞれ示す複数の前記表示対象をそれぞれ強調して表示するよう制御する、
前記［１］に記載の情報処理装置。
［３］前記表示制御手段は、前記複数の表示対象を互いに異なる態様で強調して表示するよう制御する、
前記［２］に記載の情報処理装置。
［４］前記履歴情報は、前記少なくとも１つの項目に関連付けて記録された、前記設定値の設定が行われた回数を示す情報を含み、
前記抽出手段は、前記履歴情報に記録された前記回数が予め定められた第１の数以上の場合に前記特定の項目を抽出する、
前記［１］から［３］のいずれか１つに記載の情報処理装置。
［５］前記履歴情報は、前記少なくとも１つの項目に関連付けて記録された、前記設定値の設定を行った操作者を識別する識別情報をさらに含み、
前記抽出手段は、前記画面上で前記表示対象を移動するよう指示した操作者が前記設定値の設定を行った回数が予め定められた第２の数以上の場合に前記特定の項目を抽出する、
前記［４］に記載の情報処理装置。
［６］前記抽出手段は、複数の前記操作者が前記設定値を設定した回数を合計した数が予め定められた第３の数以上の場合に前記特定の項目を抽出する、
前記［５］に記載の情報処理装置。
［７］前記抽出手段は、複数の前記操作者が前記設定値を設定した回数の合計に応じて複数の前記特定の項目を抽出し、
前記表示制御手段は、前記複数の操作者に応じて、前記複数の項目をそれぞれ示す前記複数の表示対象を互いに異なる態様で強調して表示するよう制御する、
前記［６］に記載の情報処理装置。
［８］前記表示制御手段は、前記項目一覧を前記画面の前記一端から前記他端に向かって移動する動作が停止したときに、前記特定の項目を強調して表示することを停止するよう制御する、
前記［１］から［７］のいずれか１つに記載の情報処理装置。
［９］コンピュータを、
少なくとも１つ以上の項目の中から設定値の設定が行われた履歴を示す履歴情報に応じて特定の項目を抽出する抽出手段と、
抽出された前記特定の項目を示す表示対象が画面の一端から該一端と対向する他端に向かう方向に移動して表示されているときに、前記表示対象を強調して表示するよう制御する表示制御手段
として機能させるためのプログラム。
【発明の効果】
【０００８】
請求項１、９に係る発明によれば、画面上で項目を移動させているとき、移動の速度に依らずに特定の項目を目立たせることができる。
請求項２に係る発明によれば、特定の項目が複数ある場合であっても、それぞれを目立たせることができる。
請求項３に係る発明によれば、特定の項目が複数ある場合、それぞれを区別して目立たせることができる。
請求項４に係る発明によれば、設定値が設定された回数の多い項目を移動中に目立たせることができる。
請求項５に係る発明によれば、操作中の操作者による操作の履歴に応じて特定の項目を目立たせることができる。
請求項６に係る発明によれば、操作中の操作者以外の操作者の履歴を参照して特定の項目を目立たせることができる。
請求項７に係る発明によれば、設定値の設定を行った操作者ごとに区別して特定の項目を目立たせることができる。
請求項８に係る発明によれば、画面上での項目の移動を停止したときに、当該特定の項目以外の項目が見づらくなることを抑制することができる。
【図面の簡単な説明】
【０００９】
【図１】図１は、本実施の形態に係る画像形成装置の制御系の一例を示すブロック図である。
【図２】図２は、履歴情報テーブルの一例を示す図である。
【図３】図３（ａ）〜（ｃ）は、設定表示画面の一例を示す図である。
【図４】図４は、設定表示画面の表示態様の一例を示す図である。
【図５】図５は、設定表示画面の表示態様の一例を示す図である。
【図６】図６は、図１に示す画像形成装置の動作の一例を示すフローチャートである。
【図７】図７は、図１に示す画像形成装置の動作の一例を示すフローチャートである。
【図８】図８は、設定表示画面の表示態様の変形例を示す図である。
【発明を実施するための形態】
【００１０】
以下、本発明の実施の形態について図面を参照して説明する。なお、各図中、実質的に同一の機能を有する構成要素については、同一の符号を付してその重複した説明を省略する。以下、情報処理装置として画像形成装置を例に説明するが、情報処理装置は画像形成装置に限られない。
【００１１】
［実施の形態］
図１は、本発明の実施の形態に係る画像形成装置の制御系の一例を示すブロック図である。この画像形成装置２は、例えば、スキャン機能、プリンタ機能、コピー機能、ファクシミリ機能、電子メール機能等の複数の機能を有する複合機である。なお、画像形成装置２は、複合機に限定されるものではない。また、「機能」は、別名として、「サービス」との表現を用いてもよい。
【００１２】
図１に示すように、この画像形成装置２は、各部を制御する制御部２０と、各種のデータを記憶する記憶部２１と、情報の入力及び表示を行う操作表示部２２と、原稿から原稿画像を読み取る画像読取部２４と、画像を印刷出力する画像出力部２５と、外部ファクシミリ装置３に対して公衆回線網５を介してファクシミリ送受信を行うファクシミリ通信部２６と、外部装置４との間でネットワーク６を介して通信するネットワーク通信部２７とを備える。
【００１３】
制御部２０は、ＣＰＵ（Central Processing Unit）、インターフェース等から構成されている。ＣＰＵは、記憶部２１に記憶されたプログラム２１０に従って動作することにより、受付手段２００、認証手段２０１、設定手段２０２、抽出手段２０３、検知手段２０４、判定手段２０５、表示制御手段２０６、実行手段２０７、集計手段２０８等として機能する。各手段２００〜２０８の詳細については後述する。
【００１４】
記憶部２１は、ＲＯＭ（Read Only Memory）、ＲＡＭ（Random Access Memory）、ハードディスク等から構成され、プログラム２１０、ユーザ認証情報２１１、履歴情報テーブル２１２（図２参照）、画面情報２１３等の各種データを記憶する。なお、本明細書において、テーブルに情報を書き込む場合に「記録」を用い、記憶部２１に情報を書き込む場合に「記憶」を用いる。
【００１５】
ユーザ認証情報２１１は、例えば、操作者（以下、「ユーザ」ともいう。）の名称やユーザを識別する識別情報等のユーザの認証（以下、単に「ユーザ認証」又は「ログイン」ともいう。）に用いるユーザを示す情報（以下、単に「ユーザ情報」ともいう。）が記録されている。また、ユーザ認証情報２１１には、ユーザの所属する組織（以下、「テナント」ともいう。）等の属性を示す情報を含めて記録してもよい。なお、「テナント」には、会社、事業所、部署、グループ等が含まれる。
【００１６】
図２は、履歴情報テーブル２１２の一例を示す図である。履歴情報テーブル２１２は、各機能を実行するときの条件（以下、単に「実行条件」ともいう。）を設定する項目（以下、「設定項目」ともいう。）に設定値の設定を行った履歴を、設定を行ったユーザに関連付けて記録したものである。設定項目は、項目の一例である。
【００１７】
「設定」には、何ら設定値が設定されていない設定項目に新たに設定値を設定することに加えて、予め何らかの初期値が設定されている設定項目に改めてその初期値を設定値として決定する（例えば、記憶部２１等の特定の場所に設定値を保存するとき）ことや、この初期値を他の値に変更すること等が含まれる。
【００１８】
図２に示すように、履歴情報テーブル２１２には、「ユーザ名」欄、「テナント」欄、「機能」欄、「設定項目」欄、「回数」欄等が設けられ、各欄にはそれぞれの情報が記録される。「回数」欄には、これまでに設定項目に設定値の設定を行った回数が記録される。回数は、後述する集計手段２０８により求められる。
【００１９】
画面情報２１３は、後述する表示制御手段２０６により操作表示部２２の表示面（不図示）に表示される画面に係る情報が記録されている。画面情報２１３の例について、図３を参照して説明する。図３各図は、設定表示画面の一例を示す図である。
【００２０】
設定表示画面７は、実行しようとする機能の実行条件を設定するとともに、設定された実行条件を表示する画面である。設定表示画面７は、機能ごとに設けられている。以下、上述したいくつかの機能のうちコピー機能を例に挙げて説明する。
【００２１】
図３各図に示すように、設定表示画面７は、表示対象を画面上で、画面の上側の一端から下側の一端に向かう方向（以下、単に「上下方向」ともいう。）に移動して表示する（以下、「スクロールする」ともいう。）スクロール領域７１と、表示対象を固定的に表示する非スクロール領域７２とを含んで構成されている。
【００２２】
スクロール領域７１には、部数操作部７６、及びコピー機能の実行条件を示す一覧（以下、「リスト」ともいう。点線枠参照。）が表示される。図３（ａ）、図３（ｂ）、図３（ｃ）の順に示すように、部数操作部７６及びリスト７３のうちスクロール領域７１に表示しきれない部分は、スクロール操作に応じて上下方向に移動して表示されるようになっている。
【００２３】
リスト７３は、ユーザの操作により設定することが可能な設定項目を示す第１の文字列７４０と、当該設定項目に設定された設定値を示す第２の文字列７４１とが表記された設定表示欄（以下、「コンテンツ」ともいう。）７４により構成される。なお、図３各図に示すように、コピー機能における設定項目には、例えば、原稿のサイズ等の入力条件に関する入力項目や、カラーモード、両面片面選択、倍率、濃度、Ｎアップ等の出力条件に関する出力項目、あるいは、仕分け、ホチキスの有無、パンチの有無等の出力の態様に関する態様項目等が含まれる。各コンテンツ７４は、表示対象の一例である。
【００２４】
また、図３（ｂ）に示すように、各コンテンツ７４を操作することにより（付番「７５」参照）、コンテンツ７４に表示された設定項目を設定できるようになっている。具体的には、コンテンツ７４を操作すると、設定値を入力又は選択する設定画面（不図示）や、プルダウン等の選択欄（不図示）が表示されるようになっている。
【００２５】
なお、図３（ｂ）に示した指を示す模式図７５や丸印の記号、及びコンテンツ７４の地（すなわち、背景）の色は、特定のコンテンツ７４が選択された状態であることを説明するために便宜上付したものであり、必ずしも実際の表示面には表示しなくてもよい。また、点線枠も説明の便宜上付したものであり、必ずしも実際の表示面には表示しなくてもよい。
【００２６】
部数操作部７６は、設定された部数を表示する部数表示部７６０と、部数の設定を行う部数設定部７６２とを備えている。部数設定部７６２は、例えば、テンキーでもよい。スクロール領域７１では、部数操作部７６及びリスト７３が、スクロールされて表示されるようになっている。
【００２７】
非スクロール領域７２には、例えば、認証されたユーザ（すなわち、当該画像形成装置２にログインしているユーザ）を示すユーザ表示欄７２０や、当該機能の実行を指示する開始釦７２１等が設けられている。
【００２８】
操作表示部２２は、例えば、タッチパネルディスプレイであり、液晶ディスプレイ等のディスプレイにタッチパネルを重合配置した構成を有する。なお、操作表示部２２は、入力部や操作部（不図示）と表示部とを別体として設けたものであってもよい。
【００２９】
画像読取部２４は、原稿から原稿画像を読み取るものであり、原稿台（不図示）上に設けられた自動原稿送り装置（不図示）と、スキャナーとを備え、原稿台に配置された原稿、又は自動原稿送り装置により送られた原稿から原稿画像を光学的に読み取る。
【００３０】
画像出力部２５は、例えば、電子写真方式、インクジェット方式等によりカラー画像又は白黒画像を用紙等の記録媒体に印刷出力する。
【００３１】
ファクシミリ通信部２６は、Ｇ３、Ｇ４等のファクシミリプロトコルに従ってデータの変復調を行い、公衆回線網５を介して外部ファクシミリ装置３とファクシミリ通信を行う。
【００３２】
ネットワーク通信部２７は、ＮＩＣ（Network Interface Card）等によって実現され、ネットワーク６を介して外部装置４との間で信号を送受信する。ネットワーク６は、例えば、ローカルエリアネットワーク（ＬＡＮ）、ワイドエリアネットワーク（ＷＡＮ）、インターネット、イントラネット等であり、有線でも無線でもよい。
【００３３】
（各手段２００〜２０８）
次に、制御部２０を構成する各手段２００〜２０８について、図４及び図５を参照して説明する。図４は、スクロール操作中の設定表示画面７の表示態様の一例を示す図である。図５は、スクロール操作が停止したときの設定表示画面７の表示態様の一例を示す図である。受付手段２００は、操作表示部２２や外部装置４から入力された各種情報や操作信号を受け付ける。
【００３４】
認証手段２０１は、ユーザからの認証を要求する情報（以下、「認証要求」ともいう。）に応じて、ユーザの認証を行う。具体的には、認証手段２０１は、認証要求に含まれるユーザ情報と、記憶部２１のユーザ認証情報２１１に記録されたユーザ情報とを照合することによってユーザの認証を行う。
【００３５】
認証要求は、例えば、操作表示部２２や外部装置４に認証に必要な情報を入力することにより行ってもよく、ＩＣカード等の記録媒体に記録された情報を読み取ることにより行ってもよい。
【００３６】
設定手段２０２は、コンテンツ７４に対するユーザの操作に応じて設定項目に設定値を設定する。
【００３７】
抽出手段２０３は、選択された機能に対応する少なくとも１つ以上の設定項目から、履歴情報テーブル２１２に記録された履歴に応じて特定の設定項目を抽出する。具体的には、抽出手段２０３は、履歴情報テーブル２１２に記録された履歴が予め定められた条件を満たす特定の設定項目を抽出する。
【００３８】
より具体的には、抽出手段２０３は、記憶部２１に記憶された履歴情報テーブル２１２を参照し、予め定められた条件の一例として、設定値が設定された回数（以下、「設定回数」ともいう。）が第１の基準となる回数（単に「基準回数」ともいう。）以上の設定項目（以下、「第１の設定項目」ともいう。）を抽出する。抽出手段２０３により抽出される第１の設定項目は、単数でもよく、複数でもよい。
【００３９】
第１の基準回数は、予め定められた数の一例である。この抽出の判定の基準となる回数は、ユーザごとに定めてもよい。
【００４０】
検知手段２０４は、操作表示部２２に対して行われる、表示対象を画面上で上下方向に移動する操作（以下、「スクロール操作」ともいう。）を検知する。また、検知手段２０４は、スクロール操作が停止したことを検知する。
【００４１】
検知手段２０４が検知するスクロール操作には、例えば、操作表示部２２の表示面（不図示）をはじく操作（すなわち、「フリック操作」）、指を表示面に接触させたままなぞる操作（すなわち、「ドラッグ操作」）、スクロールバー（不図示）を移動する操作、スクロール釦（不図示）を押下する操作等が含まれる。
【００４２】
また、検知手段２０４は、操作表示部２２に表示された画面内のコンテンツ７４に対する操作を検知する。
【００４３】
判定手段２０５は、抽出手段２０３により抽出された第１の設定項目に係る第１のコンテンツ７４Ａが設定表示画面７のスクロール領域７１内に表示されているか否かを判定する。
【００４４】
表示制御手段２０６は、各画面や各情報を操作表示部２２の表示面（不図示）に表示するよう制御する。また、表示制御手段２０６は、検知手段２０４によりスクロール操作が検知されてからスクロール操作が停止したことが検知されるまでの間に、すなわち、スクロール操作が行われている間に、第１のコンテンツ７４Ａがスクロール領域７１内に表示されている場合、この第１のコンテンツ７４Ａを他の設定項目（以下、「第２の設定項目」ともいう。）に係る第２のコンテンツ７４Ｂに対して目立つ態様で表示するよう制御する。
【００４５】
具体的には、表示制御手段２０６は、目立つ態様の一例として、第１の設定項目を強調して表示（以下、単に「強調表示」ともいう。）するよう制御する。より具体的には、表示制御手段２０６は、図４に示すように、第１のコンテンツ７４Ａを、第２のコンテンツ７４Ｂの色と異なる色で表示するよう制御する。図４の矢印は、スクロール操作の方向を示している。なお、この矢印及び指を示す模式図７５は、説明の便宜上付したものであり、必ずしも実際の表示面には表示しなくてもよい。
【００４６】
表示制御手段２０６は、コンテンツ７４の色として、コンテンツ７４の地の色及びコンテンツ７４に示された文字の色の一方又は両方を変更してもよい。異なる色の組み合わせは、特定の色の組み合わせに限定されるものではないが、例えば、第２のコンテンツ７４Ｂを無色や白色で表示した場合に、第１のコンテンツ７４Ａを赤色や黄色等の暖色系の色を付して表示するよう制御してもよい。
【００４７】
なお、表示制御手段２０６は、コンテンツ７４の強調表示の一例として、コンテンツ７４の高さや幅を拡大して表示してもよく、文字のサイズを大きくして表示してもよい。
【００４８】
また、表示制御手段２０６は、検知手段２０４によりスクロール操作が停止したことが検知されたとき、第１のコンテンツ７４Ａの表示の態様（以下、単に「表示態様」ともいう。）を元に戻すよう制御する。具体的には、表示制御手段２０６は、図５に示すように、第１のコンテンツ７４Ａに対する強調表示を解除し、第２のコンテンツ７４Ｂの表示態様と同一の表示態様で第１のコンテンツ７４Ａを表示するよう制御する。
【００４９】
実行手段２０７は、ユーザの指示に応じて、画像読取部２４、画像出力部２５、ファクシミリ通信部２６等を制御して各機能を実行する。
【００５０】
集計手段２０８は、設定項目に設定値が設定されたことを履歴として記憶部２１の履歴情報テーブル２１２に追加して記録するとともに、履歴情報テーブル２１２に記録された履歴を示す情報（以下、「履歴情報」ともいう。）を集計して設定項目ごとに設定回数を集計する。
【００５１】
集計手段２０８は、一例として、ユーザごとに設定回数を集計する。すなわち、集計手段２０８は、当該ユーザが設定を行った設定回数を集計して出力する。また、集計手段２０８は、実行手段２０７により機能が実行されたときに設定回数の集計を行ってもよく、設定値が決定されたときに設定回数の集計を行ってもよく、設定値が入力されたときに集計を行ってもよい。
【００５２】
（実施の形態の動作）
次に、画像形成装置２の動作の一例について図６及び図７を参照して説明する。以下の説明では、画像形成装置２の動作を、（１）履歴情報を集計する動作、及び（２）リスト７３をスクロールする動作に分けて説明する。
【００５３】
（１）履歴情報を集計する動作
図６は、画像形成装置２の履歴情報を集計する動作の一例を示すフローチャートである。受付手段２００がユーザから認証要求を受け付けると、認証手段２０１は、ユーザ認証を行う（Ｓ１）。
【００５４】
次に、表示制御手段２０６は、操作表示部２２の表示面に、ユーザから指示された機能に応じてリスト７３を表示するよう制御する（Ｓ２）。
【００５５】
ユーザが表示面に表示されたリスト７３から特定のコンテンツ７４を選択する操作を行い受付手段２００がこの操作を受け付けると、検知手段２０４は、リスト７３のコンテンツ７４が選択されたことを検知する（Ｓ３）。
【００５６】
次に、集計手段２０８は、選択されたコンテンツ７４を、ログインしているユーザに係るユーザ情報と関連付けて記憶部２１の履歴情報テーブル２１２に記録する（Ｓ４）。
【００５７】
記録するタイミングは、上述したように、選択されたコンテンツ７４に具体的な設定値が決定されたときや入力されたときでもよく、実行手段２０７により機能が実行されたときでもよい。「実行されたとき」には、実行が開始された時間、実行が終了した時間、実行途中の特定の時間等が含まれる。
【００５８】
次に、集計手段２０８は、履歴情報テーブル２１２に記録された履歴を集計して設定項目ごとに設定回数を集計する（Ｓ５）。
【００５９】
（２）リスト７３をスクロールする動作
図７は、画像形成装置２のリスト７３をスクロールする動作の一例を示すフローチャートである。上述の履歴情報を集計する動作と同様に、まず、認証手段２０１がユーザ認証を行い（Ｓ１０）、表示制御手段２０６が機能に応じてリスト７３を表示するよう制御する（Ｓ１１）。
【００６０】
次に、検知手段２０４がリスト７３に対するスクロール操作を検知すると（Ｓ１２：Ｙｅｓ）、判定手段２０５は、第１のコンテンツ７４Ａがスクロール領域７１内に表示されているか否かを判定する（Ｓ１３）。
【００６１】
第１のコンテンツ７４Ａ、すなわち、抽出手段２０３により強調表示の対象として抽出されたコンテンツ７４Ａがスクロール領域７１内に表示されている場合（Ｓ１３：Ｙｅｓ）、表示制御手段２０６は、当該第１のコンテンツ７４Ａを強調表示するよう制御する（Ｓ１４）。
【００６２】
検知手段２０４が、スクロール操作が停止したことを検知すると（Ｓ１５：Ｙｅｓ）、判定手段２０５は、スクロール領域７１内に強調表示されたコンテンツ７４があるか否かを判定する（Ｓ１６）。
【００６３】
スクロール領域７１内に強調表示されたコンテンツ７４がある場合（Ｓ１６：Ｙｅｓ）、表示制御手段２０６は、当該コンテンツ７４を元の表示態様に戻して表示すよう制御する（Ｓ１７）。
【００６４】
＜変形例１＞
図８は、設定表示画面７の表示態様の変形例を示す図である。抽出手段２０３は、ユーザごとに設定回数を判断してユーザごとに第１の設定項目を抽出してもよい。
【００６５】
具体的には、表示制御手段２０６は、図８に示すように、現在ログインしているユーザ（以下、「第１のユーザ」ともいう。）の操作よる設定回数が第２の基準回数以上となったことにより抽出された設定項目に係る第３のコンテンツ７４Ｃと、他のユーザ（以下、「第２のユーザ」ともいう。）の操作よる設定回数が第３の基準回数以上となったことにより抽出された設定項目に係る第４のコンテンツ７４Ｄとを区別して表示するよう制御してもよい。
【００６６】
第２の基準回数は、予め定められた第２の数の一例である。第３の基準回数は、予め定められた第３の数の一例である。第１の基準回数、第２の基準回数及び第３の基準回数は、互いに異なる値でもよく、いずれか２つが同一の値でもよく、３つとも同一の値でもよい。また、第３の基準回数を第２の基準回数よりも大きい値としてもよい。
【００６７】
具体的には、表示制御手段２０６は、第３のコンテンツ７４Ｃと第４のコンテンツ７４Ｄとをそれぞれ異なる表示態様で表示するよう制御してもよい。より具体的には、表示制御手段２０６は、第３のコンテンツ７４Ｃの色と第４のコンテンツ７４Ｄの色とをそれぞれ異なる色で表示するよう制御してもよい。なお、第１のユーザ及び第２のユーザは、操作者の一例である。
【００６８】
＜変形例２＞
また、抽出手段２０３は、複数の第１の設定項目を抽出してもよい。この場合、抽出する第１の設定項目の数を予め定められた個数（例えば、５個等）としてもよい。具体的には、抽出手段２０３は、設定回数の多い順に予め定められた個数の設定項目を抽出してもよい。
【００６９】
また、複数の第１の設定項目が抽出された場合、表示制御手段２０６は、図８に示すように、各第１の設定項目に対応する第１のコンテンツ７４Ａにそれぞれ異なる色を付して表示するよう制御してもよい。また、表示制御手段２０６は、設定回数に応じて濃淡（すなわち、階調）を付して表示してもよい。
【００７０】
＜変形例３＞
また、上述の実施の形態では、集計手段２０８は、ユーザごとに設定回数を集計する場合を例に説明したが、ユーザを区別せずに集計してもよい。すなわち、集計手段２０８は、どのユーザが設定したかに関わらずに設定が行われた回数をまとめて、設定項目の属性としての設定回数を集計してもよい。
【００７１】
＜変形例４＞
また、複数の第１の設定項目が抽出された場合、表示制御手段２０６は、予め定められた操作に応じて、第１のコンテンツ７４Ａを１つずつ順に強調表示してもよい。
【００７２】
具体的には、表示制御手段２０６は、まず、複数の第１のコンテンツ７４Ａのうち１つ目の第１のコンテンツ７４Ａを強調表示し、予め定められた操作が行われたときに、この１つ目の第１のコンテンツ７４Ａの強調表示を解除するとともに２つ目の第１のコンテンツ７４Ａを強調表示してもよい。さらに、上記の動作を抽出された第１の設定項目の数分、連続的に繰り返して行ってもよい。
【００７３】
強調表示の順序は、例えば、設定回数の多い順に従ってもよく、コンテンツ７４の並びの順番（例えば、上から下）に従ってもよい。
【００７４】
予め定められた操作には、例えば、以下の操作を含めてよい。
（Ａ）１つ目の第１のコンテンツ７４Ａが強調表示されているときにスクロール操作が停止され、その後に再びスクロール操作が行われたとき。
（Ｂ）１つ目の第１のコンテンツ７４Ａが強調表示されているときにスクロール操作が停止され、当該１つ目の第１のコンテンツ７４Ａに対応する設定項目に設定値を設定する操作が行われたとき。
【００７５】
また、表示制御手段２０６は、強調表示の対象を１つ目の第１のコンテンツ７４Ａから２つ目の第１のコンテンツ７４Ａに切り替えるとき、操作者による操作が行われなくても２つ目の第１のコンテンツ７４Ａがスクロール領域７１内に表示されるようにスクロールするよう制御してもよい。
【００７６】
以上、本発明の実施の形態を説明したが、本発明の実施の形態は上記実施の形態に限定されるものではなく、本発明の要旨を変更しない範囲内で種々の変形、実施が可能である。例えば、第１のコンテンツ７４Ａを第２のコンテンツ７４Ｂに対して目立たせる方法は、第１のコンテンツ７４Ａが第２のコンテンツ７４Ｂに対して相対的に目立つ方法であればよく、例えば、第２のコンテンツ７４Ｂをグレーアウトや縮小等により目立たなくするように表示することにより第１のコンテンツ７４Ａを第２のコンテンツ７４Ｂに対して相対的に目立たせてもよい。
【００７７】
また、例えば、上記の実施の形態では上下方向にスクロールする場合を例に挙げたが、画面の一端から該一端と対向する他端に向かう方向に移動するものであればよく、例えば、画面の左側の一端から右側の一端に向かう左右方向にスクロールする場合も同様である。
【００７８】
制御部２０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００７９】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。例えば、抽出手段２０３は、検知手段２０４がスクロール操作を検知したときに第１のコンテンツ７４Ａを抽出してもよく、検知手段２０４によるスクロール操作の検知に関わらず特定のタイミングで第１のコンテンツ７４Ａを予め抽出してもよい。
【００８０】
また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【００８１】
２  画像形成装置
２０  制御部
２００  受付手段
２０１  認証手段
２０２  設定手段
２０３  抽出手段
２０４  検知手段
２０５  判定手段
２０６  表示制御手段
２０７  実行手段
２０８  集計手段
２１  記憶部
２１０  プログラム
２１１  ユーザ認証情報
２１２  履歴情報テーブル
２１３  画面情報
２２  操作表示部
２４  画像読取部
２５  画像出力部
２６  ファクシミリ通信部
２７  ネットワーク通信部
３  外部ファクシミリ装置
４  外部装置
５  公衆回線網
６  ネットワーク
７  設定表示画面
７１  スクロール領域
７２  非スクロール領域
７２０  ユーザ表示欄
７２１  開始釦
７３  リスト
７４，７４Ａ〜Ｄ  コンテンツ（設定表示欄）
７４０  第１の文字列（設定項目）
７４１  第２の文字列（設定値）
７５  模式図
７６  部数操作部
７６０  部数表示部
７６２  部数設定部
【図１】
2020042706.tif 000003
【図２】
2020042706.tif 000004
【図３】
2020042706.tif 000005
【図４】
2020042706.tif 000006
【図５】
2020042706.tif 000007
【図６】
2020042706.tif 000008
【図７】
2020042706.tif 000009
【図８】
2020042706.tif 000010